(57)【要約】      （修正有）【課題】ダフリショットの時に、ターフが取れて打球の飛距離が減少するか、または、全くボールが飛ばないという現象に近い体験、セミラフやラフからの第二打目や第三打目のショットまたは、アプローチショットを想定したショットの練習、および逆目からのショットの練習が出来る練習マットを提供する。【解決手段】人工芝の植え込む部材に対して、人工芝芽が一方向に傾斜角を有する芝丈２０ｍｍ、芝丈３５ｍｍ、芝丈５０ｍｍのショット練習マットを、屋内、屋外ゴルフ練習場の常設のショットマットなどに係留して使用する、または、ショートコースゴルフ場のテイーグランド（地面）に係留して使用する。【選択図】図１
0003207807.tif 000002
【実用新案登録請求の範囲】
【請求項１】
床や地面に直接固定しないで係留して使用するショット練習マット３の、上部の端にハトメ金具１１を用いて穴の周囲を補強して設けたワイヤー通し穴１８に、ショット練習マット３を係留するために用いるワイヤー８を通して、そのワイヤー８の先にオーバルスリーブ（ワイヤー圧着材）９を用いてワイヤーリング１０を形成して、そのワイヤーリング１０に、ショット練習マット３を屋内ゴルフ練習場の常設ショットマット１係留するための仕組みを繋いで、屋内ゴルフ練習場の常設ショットマット１に係留して使用することを特徴とするショット練習マット３。
【請求項２】
床や地面に直接固定しないで使用するショット練習マット３は、屋内ゴルフ練習場の常設ショットマット１に係留して使用することにより、ショットの方向ＳＤに可動域を持ち、ダフリショットの時に、この可動域を動くことを特徴とするショット練習マット３。
【請求項３】
床や地面に直接固定しないで係留して使用するショット練習マット３とともに用いる、屋内ゴルフ練習場の常設ショットマット１にショット練習マット３を係留するためのワイヤー８の両端の各々に、オーバルスリーブ（ワイヤー圧着材）９を用いて、ワイヤーリング１０を形成し、その一方のワイヤーリング１０には、ショット練習マット３の備え持つ係留のためのワイヤーリング１０に連結するために装着したキーホルダー７をつなぎ、残るもう一方のワイヤーリング１０には、屋内ゴルフ練習場の常設ショットマット１の、ショットの方向ＳＤと反対方向の端部を挟持するためのピンチ１４を連結するためのキーホルダー６を備えた仕組みからなる、ショット練習マット３を屋内ゴルフ練習場の常設ショットマット１に係留するための仕組み。
【請求項４】
床や地面に直接固定しないで係留して使用するショット練習マット３は、屋内ゴルフ練習場の常設ショットマット１に係留するための仕組みを用いて、屋内ゴルフ練習場の常設ショットマット１に係留して使用することにより、ダフリショットの時に、可動域を動くが遠方に飛散しないことを特徴とするショット練習マット３。
【請求項５】
床や地面に直接固定しないで係留して使用するショット練習マット３の、人工芝の植えこむ部材４に対して、人工芝芽５が一方向に傾斜角θを有する芝丈２０ミリメートルのショット練習マット３または、同じく人工芝芽５が一方向に傾斜角θを有する芝丈３５ミリメートルのショット練習マット３または、同じく人工芝芽５が一方向に傾斜角θを有する芝丈５０ミリメートルのショット練習マット３を、選択して使用することができることを特徴とする、人工芝芽５が一方向に傾斜角θを有する、そして芝丈の異なる３種類からなる請求項１記載のショット練習マット３。
【請求項６】
床や地面に直接固定しないで、係留して使用するショット練習マット３を、屋外ゴルフ練習場のテイーグランド（地面）２１に敷かれているショットマット２０または、ショートコースゴルフ場のテイーグランド（地面）２１に敷かれているショットマット２０の上に置いて使用するとき、屋外ゴルフ練習場のテイーグランド（地面）２１または、ショートコースゴルフ場のテイーグランド（地面）２１に係留するためのワイヤー８の両端の各々にオーバルスリーブ（ワイヤー圧着材）９を用いてワイヤーリング１０を形成し、その一方のワイヤーリング１０には、ショット練習マット３の備え持つ係留のためのワイヤーリング１０に連結するために装着したキーホルダー７をつなぎ、残るもう一方のワイヤーリング１０には、屋外ゴルフ練習場のテイーグランド（地面）２１に、または、ショートコースゴルフ場のテイーグランド（地面）２１に差し込んで使用するピン１２を連結するためのキーホルダー６と、ピン１２のピン穴１３にワイヤー８を通して、その先にオーバルスリーブ（ワイヤー圧着材）９を用いて形成したワイヤーリング１０を連結したピン１２を、屋外ゴルフ練習場のテイーグランド（地面）２１に、または、ショートコースゴルフ場のテイーグランド（地面）２１に差し込んで使用することを特徴とする、ショット練習マット３を、屋外ゴルフ練習場のテイーグランド（地面）２１に、または、ショートコースゴルフ場のテイーグランド（地面）２１に係留するための仕組み。
【請求項７】
床や地面に直接固定しないで係留して使用するショット練習マット３を、屋内ゴルフ練習場の常設ショットマット１に係留するための仕組みのうち、屋内ゴルフ練習場の常設ショットマット１のショットの方向ＳＤと反対方向の端部を挟持するためのピンチ１４を取り外して、替りに、屋外ゴルフ練習場のテイーグランド（地面）２１に、または、ショートコースゴルフ場のテイーグランド（地面）２１に差し込んで使用するためのピン１２を装着して、ショット練習マット３を、屋外ゴルフ練習場のテイーグランド（地面）２１、または、ショートコースゴルフ場のテイーグランド（地面）２１にショット練習マット３を係留するための仕組みに替えることができることを特徴とする仕組み。
【請求項８】
床や地面に直接固定しないで係留して使用するショット練習マット３の人工芝の植えこむ部材４に対して人工芝芽５が一方向に傾斜角θを有する芝丈２０ミリメートルのショット練習マット３を、または、同じく人工芝芽５が一方向に傾斜角θを有する芝丈３５ミリメートルのショット練習マット３を、または、同じく人工芝芽５が一方向に傾斜角θを有する芝丈５０ミリメートルのショット練習マット３を、芝芽の傾斜の方向がショットの方向ＳＤと反対方向に向くようにセットして、すなわち、逆目の状態にセットして使用することができることを特徴とする請求項１記載のショット練習マット３。
【考案の詳細な説明】
【技術分野】
【０００１】
本考案は、ゴルフクラブのショット練習マットの形状に関するものである。
【背景技術】
【０００２】
屋内ゴルフ練習場または、屋外ゴルフ練習場の基本的な設備には床や地面に固定している芝丈１３ミリメートルから２０ミリメートルの人工芝からなるショットマットを用いており、実際のゴルフコースのフェアウエイで行うショットの練習を想定している。
【０００３】
実際のゴルフコースでは、ボールの手前を叩くダフリショットは、ターフが取れて打球の飛距離が減少するかまたは、全くボールが飛ばないという現象を体験するが、床や地面に直接固定されている屋内ゴルフ練習所の常設ショットマットまたは、屋外ゴルフ練習場のテイーグランド（地面）に敷かれているショットマットの上にボールを置いて行うショットでは、ダフリショットでも、クラブヘッドがショットマットの上を滑ってボールに強く当たるためボールが飛ぶ。このことは、実際のゴルフコースで体験するダフリショットとは異なったボールの打感や飛距離感を得るという欠点がある。
【０００４】
実際のゴルフコースで行うショットでは、第二打目または、第三打目のショットやアプローチショットは、フェアウエイからのショットのほかに、草丈の長いセミラフやラフからのショットがあり、これらのショットはクラブヘッドへの草絡みのショットとなる。しかし芝丈１３ミリメートルから２０ミリメートルのフェアウエイからのショットを想定している屋内ゴルフ練習場の常設ショットマットや、屋外ゴルフ練習場のテイーグランドに敷かれているショットマットで行うショットの練習では、セミラフやラフからの草絡みのショットの練習はできない。
【０００５】
実際のゴルフコースでは、ショットの方向に芝芽が向いている状態、すなわち順目からのショットのほかに、ショットの方向と反対方向に芝芽が向いている状態すなわち、逆目からのショットがある。そしてセミラフやラフにも逆目があり、逆目からの第二打目または、第三打目のショットやアプローチショットは、クラブヘッドへの草絡みのショットとなる。しかし、芝丈１３ミリメートルから２０ミリメートルのフェアウエイからのショットを想定している屋内ゴルフ練習場の常設ショットマットや、屋外ゴルフ練習場のテイーグランドに敷かれているショットマットで行うショットの練習では、逆目からの芝絡みや草絡みのショットの練習はできない。
【０００６】
実際のゴルフコースには、ロングホールやミドルホールを備えた一般的なゴルフ場のほかに、ショートコースゴルフ場があり、ここでは、グリーンへのアプローチショットを想定したショートホールが中心である。中にはミドルホールほどのホールを備えているショートコースゴルフ場もあるが、いずれのホールにもテイーグランド（地面）の上に人工芝のショットマットが敷かれていることが多く、第一打目のショットはこのショットマットにテイーアップするか、または、ショットマットの上にボールを直接置いてショットを行うシステムを採っている。
【０００７】
したがって、ショートコースゴルフ場のテイーグランド（地面）に敷かれているショットマットの上にボールを直接置いて行うショットは、ダフリショットのときに、クラブヘッドがショットマットの上を滑ってボールに強く当たるため、ボールが飛ぶ。このことは、屋内ゴルフ練習場の常設ショットマットや、屋外ゴルフ練習場のテイーグランド（地面）に敷かれているショットマットで体験するダフリショットの現象と同じで、一般的なゴルフ場の自然芝で体験するダフリショットとは、異なったボールの打感や打球の飛距離感を得ることとなる。
【０００８】
また、ショートコースゴルフ場のテイーグランド（地面）にテイーアップして行う第一打目のショットは、一般的なゴルフ場のパー３のショートホールで行うショットと同質のショットである。しかし、このテイーグランドからの第一打目のショットを、一般的なゴルフ場のコースで行う第二打目や第三打目のショットおよびアプローチショットを想定して行うショットは、ボールの打感や飛距離感も異質なものになる。
【０００９】
先行技術文献１では、床面や地面に直接固定して使用するショット用のマットである。
【００１０】
先行技術文献２では、毛足の長い人工芝と、毛足の短い人工芝からなるショット用のマットである。
【先行技術文献】
【特許文献】
【００１１】
【特許文献１】実開平７−４５０７９号公報（先行技術文献１）
【特許文献２】実開平６−８６７６６号広報（先行技術文献２）
【考案の概要】
【考案が解決しようとする課題】
【００１２】
解決しようとする第一の問題点は、床や地面に直接固定して使用するショットマットでは、ボールの手前を叩くダフリショットのとき、クラブヘッドがショットマットの上を滑ってボールに強く当たるためボールが飛ぶ。このことは、実際のゴルフ場で行うショットがダフリショットの時、ターフが取れて打球の飛距離が減少するか、または、全くボールが飛ばないという現象とは異質ものになるので、この欠点を解消することを課題をとする。
【００１３】
解決しようとする第二の問題点は、屋内ゴルフ練習場の常設ショットマットや、屋外ゴルフ練習場のテイーグランド（地面）に敷かれているショットマット及び、ショートコースゴルフ場のテイーグランド（地面）に敷かれているショットマットで行うショットでは、セミラフまたは、ラフからのショットの練習ができないので、この点を解決することを課題とする。
【００１４】
解決しようとする第三の問題点は、屋内ゴルフ練習場の常設ショットマットや、屋外ゴルフ練習場のテイーグランド（地面）に敷かれているショットマット及び、ショートコースゴルフ場のテイーグランド（地面）に敷かれているショットマットで行うショットでは、ショットの方向とは反対方向に芝芽が向いている状態すなわち、逆目の状態のフェアウエイや逆目のセミラフまたは、逆目のラフからのショットの練習ができないのでこの点を解決することを課題とする。
【課題を解決するための手段】
【００１５】
本考案の、第一考案は、床や地面に直接固定しないで、係留して使用するショット練習マット３の上部の端に、ハトメ金具１１を用いて穴の周囲を補強して設けたワイヤー通し穴１８に、ショット練習マット３を係留するために用いるワイヤー８を通して、そのワイヤー８の先にオーバルスリーブ（ワイヤー圧着材）９を用いてワイヤーリング１０を形成して、そのワイヤーリング１０に、ショット練習マット３を屋内ゴルフ練習場の常設ショットマット１に係留するための仕組みを繋いで、屋内ゴルフ練習場の常設ショットマット１に係留して使用することを特徴とするショット練習マット３を提供することである。
【００１６】
本考案の、第二考案は、床や地面に直接固定しないで使用するショット練習マット３は、屋内ゴルフ練習場の常設ショットマット１に係留して使用することにより、ショットの方向ＳＤに可動域を持ち、ダフリショットの時に、この可動域を動くことを特徴とするショット練習マット３を提供することである。
【００１７】
本考案の、第三考案は、床や地面に直接固定しないで、係留して使用する第一考案のショット練習マット３とともに用いる、屋内ゴルフ練習場の常設ショットマット１にショット練習マット３を係留のためのワイヤー８の両端の各々にオーバルスリーブ（ワイヤー圧着材）９を用いてワイヤーリング１０を形成し、その一方のワイヤーリング１０には、ショット練習マット３の備え持つ係留のためのワイヤーリング１０に連結するために装着したキーホルダー７をつなぎ、残るもう一方のワイヤーリング１０には、屋内ゴルフ練習場の常設ショットマット１の、ショットの方向ＳＤと反対方向の端部を挟持すためのピンチ１４を連結するためのキーホルダー６を備えた仕組みからなる、ショット練習マット３を屋内ゴルフ練習場の常設ショットマット１に係留するための仕組みを提供することである。
【００１８】
本考案の、第四考案は、床や地面に直接固定しないで係留して使用する第一考案のショット練習マット３は第三考案の、ショット練習マット３を屋内ゴルフ練習場の常設ショットマット１に係留するための仕組みを用いて、屋内ゴルフ練習場の常設ショットマット１に係留して使用することにより、ダフリショットの時に、可動域を動くが遠方に飛散しないことを特徴とするショット練習マット３を提供することである。
【００１９】
本考案の、第五考案は、床や地面に直接固定しないで、係留して使用する第一考案のショット練習マット３の人工芝の植え込む部材４に対して、人工芝芽５が一方向に傾斜角θを有する芝丈２０ミリメートルのショット練習マット３または、同じく人工芝芽５が一方向に傾斜角θを有する芝丈３５ミリメートルのショット練習マット３または、おなじく人工芝芽５が一方向に傾斜角θを有する芝丈５０ミリメートルのショット練習マット３を選択して使用することができることを特徴とする、人工芝芽５が一方向に傾斜角θを有する、そして芝丈の異なる３種類からなるショット練習マット３を提供することである。
【００２０】
本考案の、第六考案は、床や地面に直接固定しないで、係留して使用する第一考案のショット練習マット３を、屋外ゴルフ練習場のテイーグランド（地面）２１に敷かれているショットマット２０または、ショートコースゴルフ場のテイーグランド（地面）２１に敷かれているショットマット２０の上に置いて使用するとき、屋外ゴルフ練習場のテイーグランド（地面）２１に、または、ショートコースゴルフ場のテイーグランド（地面）２１に係留するためのワイヤー８の両端の各々にオーバルスリーブ（ワイヤー圧着材）９を用いてワイヤーリング１０を形成し、その一方のワイヤーリング１０には、ショット練習マット３の備え持つ係留のためのワイヤーリング１０に連結するために装着したキーホルダー７をつなぎ、残るもう一方のワイヤーリング１０には、屋外ゴルフ練習場のテイーグランド（地面）２１に、または、ショートコースゴルフ場のテイーグランド（地面）２１に差し込んで使用するピン１２を連結するためのキーホルダー６で、ピン１２のピン穴１３にワイヤー８を通して、その先にオーバルスリーブ（ワイヤー圧着材）９を用いて形成したワイヤーリング１０を連結したピン１２を、屋外ゴルフ練習場のテイーグランド（地面）２１に、または、ショートコースゴルフ場のテイーグランド（地面）２１に差し込んで使用することを特徴とする、ショット練習マット３を、屋外ゴルフ練習場のテイーグランド（地面）２１に、または、ショートコースゴルフ場のテイーグランド（地面）２１に係留するための仕組みを提供することである。
【００２１】
本考案の、第七考案は、床や地面に直接固定しないで、係留して使用する第一考案のショット練習マット３を第三考案の屋内ゴルフ練習場の常設ショットマット１に係留するための仕組みのうち、屋内ゴルフ練習場の常設ショットマット１のショットの方向ＳＤと反対方向の端部を挟持するためのピンチ１４を取り外して、替りに、屋外ゴルフ練習場のテイーグランド（地面）２１に、または、ショートコースゴルフ場のテイーグランド（地面）２１に差し込んで使用するためのピン１２を装着して、ショット練習マット３を、屋外ゴルフ練習場のテイーグランド（地面）２１に、または、ショートコースゴルフ場のテイーグランド（地面）２１に、ショット練習マット３を係留するための仕組みに替えることができることを特徴とする仕組みを提供することである。
【００２２】
本考案の、第八考案は、床や地面に直接固定しないで、係留して使用する第五考案のショット練習マット３の人工芝の植えこむ部材４に対して人工芝芽５が一方向に傾斜角θを有する芝丈２０ミリメートルのショット練習マット３を、または、同じく人工芝芽５が一方向に傾斜角θを有する芝丈３５ミリメートルのショット練習マット３を、または、同じく人工芝芽５が一方向に傾斜角θを有する芝丈５０ミリメートルのショット練習マット３を、芝芽の傾斜の方向がショットの方向ＳＤと反対方向に向くようにセットして、すなわち、逆目の状態にセットして使用することができることを特徴とするショット練習マット３を提供することである。
【考案の効果】
【００２３】
本考案の第一考案と第二考案および第三考案によれば、床や地面に直接固定しないで、屋内ゴルフ練習場の常設ショットマット１に係留して、屋内ゴルフ練習場の常設ショットマット１の上に置いて使用するショット練習マット３は、ボールの手前を叩くダフリショットのときに、ショットの方向ＳＤに可動域を動くので、クラブヘッドがショットマットの上を滑ってボールに強く当たるということが無く、実際のゴルフ場のコースで体験するダフリショットのときに、ターフが取れて打球の飛距離が減少するかまたは、全くボールが飛ばないという現象に近い体験ができるという利点がある。また、ショット練習マット３は、屋内ゴルフ練習場の常設ショットマット１に係留しているため遠方に飛散しないという利点がある。
【００２４】
本考案の第五考案によれば、屋内ゴルフ練習場の常設ショットマット１の上に置いて、屋内ゴルフ練習場の常設ショットマット１に係留して使用する芝丈２０ミリメートルのショット練習マット３は、実際のゴルフコースのフェアウエイを想定して、また、芝丈３５ミリメートルのショット練習マット３は実際のゴルフコースのセミラフの中にある打球を想定して、また、芝丈５０ミリメートルのショット練習マット３は実際のゴルフコースのラフの中にある打球を想定してショットの練習ができるという利点がある。
【００２５】
本考案の第一考案と第六考案によれば屋外ゴルフ練習場のテイーグランド（地面）２１に敷かれているショットマット２０の上に置いて、または、ショートコースゴルフ場のテイーグランド（地面）２１に敷かれているショットマット２０の上に置いて使用するショット練習マット３は、ボールの手前を叩くダフリショットのときに、ショット練習マット３がショットの方向ＳＤに可動域を動くので、クラブヘッドがショットマットの上を滑ってボールに強く当たるということが無いので、実際のゴルフ場のコースで体験するダフリショットのときに、ターフが取れて打球の飛距離が減少するかまたは、全くボールが飛ばないという現象に近い体験ができるという利点がある。また、ショット練習マット３は屋外ゴルフ練習場のテイーグランド（地面）２１に、または、ショートコースゴルフ練習場のテイーグランド（地面）２１に係留されているので、遠方に飛散しないという利点がある。
【００２６】
本考案の第五考案と第六考案によれば屋外ゴルフ練習場のテイーグランド（地面）２１に敷かれているショットマット２０の上に置いて、または、ショートコースゴルフ場のテイーグランド（地面）２１に敷かれているショットマット２０の上に置いて使用するとき、芝丈２０ミリメートルのショット練習マット３は、実際のゴルフコースのフェアウエイを想定して、また、芝丈３５ミリメートルのショット練習マット３は実際のゴルフコースのセミラフの中にある打球を想定して、また、芝丈５０ミリメートルのショット練習マット３は実際のゴルフコースのラフの中にある打球を想定して、芝丈の異なる３種類のショット練習マット３を選択してショットの練習ができるという利点がある。
【００２７】
本考案の第一考案と第二考案および第三考案および第八考案によれば、床や地面に直接固定しないで屋内ゴルフ練習場の常設ショットマット１に係留して使用するショット練習マット３の、人工芝の植えこむ部材４に対して人工芝芽５が一方向に傾斜角θを有する芝丈３５ミリメートルのショット練習マット３を、または、同じく人工芝芽５が一方向に傾斜角θを有する芝丈５０ミリメートルのショット練習マット３を、芝芽の傾斜方向がショットの方向ＳＤと反対方向に向くようにセットして、すなわち、逆目の状態にセットして使用することにより、実際のゴルフコースの、逆目のセミラフや逆目のラフの中にある打球のショットが、草絡みのショットとなることを想定してショットの練習ができるという利点がある。しかも、ショット練習マット３は、屋内ゴルフ練習場の常設ショットマット１に係留されているので、遠方に飛散しないという利点がある
【００２８】
本考案の第一考案と第五考案および第八考案によれば、床や地面に直接固定しないで屋外ゴルフ練習場のテイーグランド（地面）２１に敷かれているショットマット２０または、ショートコースゴルフ場のテイーグランド（地面）２１に敷かれているショットマット２０の上に置いて使用する、人工芝の植えこむ部材４に対して人工芝芽５が一方向に傾斜角θを有する芝丈３５ミリメートルのショット練習マット３の芝芽の傾斜方向をショットの方向ＳＤと反対方向にセットして、または、同じく人工芝芽５が一方向に傾斜角θを有する芝丈５０ミリメートルのショット練習マット３の芝芽の傾斜方向をショットの方向ＳＤと反対方向にセットして使用することにより、実際のゴルフコースの逆目のセミラフや、逆目のラフの中からのショットが草絡みのショットとなることを想定して、ショットの練習ができるという利点がある。しかも、ショット練習マット３は、屋外ゴルフ練習場のテイーグランド（地面）２１に、または、ショートコースゴルフ場のテイーグランド（地面）２１に係留されているので、遠方に飛散しないという利点がある
【図面の簡単な説明】
【００２９】
【図１】図１は本考案の実施例１を示す斜視図である
【図２】図２は本考案の実施例１を示す図１の平面図である
【図３】図３は本考案の実施例１を示す図１の側面図である
【図４】図４は本考案の係留のための仕組みを備え持つショット練習マットを示す図である
【図５】図５は本考案のショット練習マットの人工芝芽を除いて、図４に示す係留のための仕組みを明示した平面図である
【図６】図６は本考案のショット練習マットの人工芝芽を除いて、係留のための仕組みを明示した図５の中で表示するＡ面から見た側面図である
【図７】図７は本考案のショット練習マットの人工芝芽を除いて、係留のための仕組みを明示した図５の中で表示するＢ面から見た側面図である
【図８】図８は本考案の図４に示すショット練習マットの人工芝の植えこむ部材に対して人工芝芽が一方向に傾斜角θを有する、芝丈２０ミリメートルのショット練習マットと、同じく芝丈３５ミリメートルのショット練習マットと、同じく芝丈５０ミリメートルのショット練習マットの側面図である
【図９】図９は本考案のショット練習マットを、屋内ゴルフ練習場の常設ショットマットに係留するための仕組みを示す図である
【図１０】図１０は本考案のショット練習マットを、屋内ゴルフ練習場の常設ショットマットに係留するための仕組みのうち、図９で示すピンチを図９の中で表示したＣ面、Ｄ面、Ｅ面、Ｆ面から見たピンチの構造を示す図である。
【図１１】図１１は本考案の実施例２を示す斜視図である
【図１２】図１２は本考案のショット練習マットを屋外ゴルフ練習場のテイーグランド（地面）に、または、ショートコースゴルフ場のテイーグランド（地面）に係留するための仕組みを示す図である
【図１３】従来技術を示す図である
【考案を実施するための形態】
【実施例１】
【００３０】
本考案の実施例１を、図１に示す。
【００３１】
図４に示すショット練習マット３を、屋内ゴルフ練習場の常設ショットマット１の上に置いて、図９に示す屋内ゴルフ練習場の常設ショットマット１にショット練習マット３を係留するための仕組みを用いて、屋内ゴルフ練習場の常設ショットマット１に係留して使用する形態は、図９に示す屋内ゴルフ練習場の常設ショットマット１に係留するための仕組みのうち、屋内ゴルフ練習場の常設ショットマット１の、ショットの方向ＳＤと反対方向の端部の裏面を、ピンチ14の挟持部下部１６が、そして、おもて面をピンチ１４の挟持部上部１５が挟持するように挟持して、ピンチ１４の挟持部下部１６のワイヤー通し穴１７を通したワイヤー８に、オーバルスリーブ（ワイヤー圧着材）９を用いて形成したワイヤーリング１０に連結したキーホルダー６と、これをつないでいるワイヤー８の先のキーホルダー７を、図３に示すように、屋内ゴルフ練習場の常設ショットマット１の裏面から、おもて面に向けて、ゴムテイー用穴１９を通して、屋内ゴルフ練習場の常設ショットマット１の上に置いて使用するショット練習マット３の備え持つ係留用のワイヤーリング１０に連結して、ショット練習マット３を屋内ゴルフ練習場の常設ショットマット１に係留して使用する。
【００３２】
床や地面に直接固定しないで、屋内ゴルフ練習場の常設ショットマット１の上に置いて、屋内ゴルフ練習場の常設ショットマット１に係留して使用するショット練習マット３は、図８に示す人工芝の植えこむ部材４に対して人工芝芽５が一方向に傾斜角θを有する芝丈２０ミリメートルのショット練習マット３を、また、同じく人工芝芽５が一方向に傾斜角θを有する芝丈３５ミリメートルのショット練習マット３を、同じく人工芝芽５が一方向に傾斜角θを有する芝丈５０ミリメートルのショット練習マット３を、実際のゴルフコースの、フェアウエイや、セミラフおよびラフの中にある打球を想定して、芝丈の異なるショット練習マット３を選択して使用する。
【００３３】
床や地面に直接固定しないで、屋内ゴルフ練習場の常設ショットマット１の上に置いて、屋内ゴルフ練習場の常設ショットマット１に係留して使用するショット練習マット３は、図８に示す人工芝の植えこむ部材４に対して人工芝芽５が一方向に傾斜角θを有する芝丈２０ミリメートルのショット練習マット３の、同じく人工芝芽５が一方向に傾斜角θを有する芝丈３５ミリメートルのショット練習マット３の、同じく人工芝芽５が一方向に傾斜角θを有する芝丈５０ミリメートルのショット練習マット３の、芝芽の向きがショットの方向ＳＤと反対方向に向くようにセットしてすなわち、逆目の状態にセットして使用することで、実際のゴルフコースの逆目のフェアウエイや逆目のセミラフおよび逆目のラフの中にある打球を想定して、芝丈の異なるショット練習マット３を選択して使用する。
【実施例２】
【００３４】
図１の実施例１では、床や地面に直接固定しないで、ショット練習マット３を、屋内ゴルフ練習場の常設ショットマット１の上に置いて、屋内ゴルフ練習場の常設ショットマット１に係留して使用する形態であるが、実施例２では、ショット練習マット３を、屋外ゴルフ練習場のテイーグランド（地面）２１に敷かれているショットマット２０の上に置いて、または、ショートコースゴルフ場のテイーグランド（地面）２１に敷かれているショットマット２０の上に置いて、屋外ゴルフ練習場のテイーグランド（地面）２１に、または、ショートコースゴルフ場のテイーグランド（地面）２１に係留して使用してもよい。
【００３５】
本考案の実施例２を、図１１に示す。
図４に示すショット練習マット３を屋外ゴルフ練習場のテイーグランド（地面）２１に敷かれているショットマット２０、または、ショートコースゴルフ場のテイーグランド（地面）２１に敷かれているショットマット２０の上に置いて、図１２に示すショット練習マット３を屋外ゴルフ練習場のテイーグランド（地面）２１に、または、ショートコースゴルフ場のテイーグランド（地面）２１に係留するための仕組みを用いて、ショット練習マット３を、屋外ゴルフ練習場のテイーグランド（地面）２１に、または、ショートコースゴルフ場のテイーグランド（地面）２１に係留する形態は、図１２に示す屋外ゴルフ練習場のテイーグランド（地面）２１に、または、ショートコースゴルフ場のテイーグランド（地面）２１に係留するための仕組みのうちピン１２を、屋外ゴルフ練習場のテイーグランド（地面）２１に、または、ショートコースゴルフ場のテイーグランド（地面）２１に差し込み、そのピン１２を連結しているキーホルダー６とこれらをつなぐワイヤー８および、その先端に連結されているショット練習マット３をつなぐために装着しているキーホルダー７を用いて、屋外ゴルフ練習場のテイーグランド（地面）２１に敷かれているショットマット２０または、ショートコースゴルフ場のテイーグランド（地面）２１に敷かれているショットマット２０の上に置いて使用するショット練習マット３の備え持つ係留のためのワイヤーリング１０に連結して、屋外ゴルフ練習場のテイーグランド（地面）２１に、または、ショートコースゴル場のテイーグランド（地面）２１に係留してショット練習マット３を使用する。
【００３６】
床や地面に直接固定しないで、屋外ゴルフ練習場のテイーグランド（地面）２１に敷かれているショットマット２０または、ショートコースゴルフ場のテイーグランド（地面）２１に敷かれているショットマット２０の上に置いて、図１２に示すショット練習マット３を屋外ゴルフ練習場のテイーグランド（地面）２１に、または、ショートコースゴルフ場のテイーグランド（地面）２１に係留するための仕組みを用いて、屋外ゴルフ練習場のテイーグランド（地面）２１に、または、ショートコースゴルフ場のテイーグランド（地面）２１に係留して使用する図８に示す人工芝の植えこむ部材４に対して、人工芝芽５が一方向に傾斜角θを有する芝丈２０ミリメートルのショット練習マット３または、同じく人工芝芽５が一方向に傾斜角θを有する芝丈３５ミリメートルのショット練習マット３または、同じく人工芝芽５が一方向に傾斜角θを有する芝丈５０ミリメートルのショット練習マット３を、実際のゴルフコースのフェアウエイまたは、セミラフまたは、ラフの中にある打球を想定して、芝丈の異なる３種類のショット練習マット３を選択して使用する。
【００３７】
床や地面に直接固定しないで、屋外ゴルフ練習場のテイーグランド（地面）２１に敷かれているショットマット２０または、ショートコースゴルフ場のテイーグランド（地面）２１に敷かれているショットマット２０の上に置いて、図１２に示すショット練習マット３を屋外ゴルフ練習場のテイーグランド（地面）２１に、または、ショートコースゴルフ場のテイーグランド（地面）２１に係留するための仕組みを用いて、屋外ゴルフ練習場のテイーグランド（地面）２１に、または、ショートコースゴルフ場のテイーグランド（地面）２１に係留して使用する図８に示す人工芝の植えこむ部材４に対して、人工芝芽５が一方向に傾斜角θを有する芝丈２０ミリメートルのショット練習マット３または、同じく人工芝芽５が一方向に傾斜角θを有する芝丈３５ミリメートルのショット練習マット３または、同じく人工芝芽５が一方向に傾斜角θを有する芝丈５０ミリメートルのショット練習マット３の、芝芽の傾斜方向がショットの方向ＳＤと反対方向に向くようにセットして、すなわち、逆目の状態にセットして使用する。
【００３８】
なお、上記説明は、本考案を室内ゴルフ練習場の常設ショットマットの上に置いて、または、屋外ゴルフ練習場のテイーグランド（地面）に敷かれているショットマットの上に置いて、または、ショートコースゴルフ場のテイーグランド（地面）に敷かれているショットマットの上に置いて使用することに限定するものではなく、図示しない実施例３として、ゴルフ関連の商業施設以外の個人所有の敷地内などにおいて、安全性が確保されている環境下の敷地地面の上に置いて、本考案を使用することを除外するものではない。
【実施形態の効果】
【００３９】
実施例１の効果として、ショット練習マット３を、床や地面などに直接固定しないで、屋内ゴルフ練習場の常設ショットマット１の上に置いて、屋内ゴルフ練習場の常設ショットマット１に係留して使用することにより、ショット練習マット３はショットの方向ＳＤに可動域を持つ。このことにより、ダフリショットのときに、ショットの方向ＳＤにショット練習マット３が可動域を動くので、クラブヘッドがショットマットの上を滑ってボールに強く当たることが無いので、実際のゴルフコースで体験するダフリショットで、ターフが取れて打球の飛距離が減少するか、または、全くボールが飛ばないという現象に近い体験ができるという利点がある。そして、ショット練習マット３は屋内ゴルフ練習場の常設ショットマット１に係留されているので、遠方に飛散しないという利点がある。
【００４０】
実施例１の効果として、屋内ゴルフ練習場の常設ショットマット１で行うショットは、実際のゴルフコースの、フェアウエイで行うショットを想定したショットの練習に限られるが、図８に示す人工芝の植え込む部材４に対して、人工芝芽５が一方向に傾斜角θを有する芝丈３５ミリメートルのショット練習マット３または、同じく人工芝芽５が一方向に傾斜角θを有する芝丈５０ミリメートルのショット練習マット３を選択して、屋内ゴルフ練習場の常設ショットマット１の上に置いて使用することにより、セミラフやラフの中にある打球をショットする際に、クラブヘッドへの草絡みのショットとなることを想定して、第二打目や第三打目のショットおよび、アプローチショットなどの幅広いショットの練習ができるという利点がある。
【００４１】
実施例１の効果として、床や地面に直接固定しないで、屋内ゴルフ練習場の常設ショットマット１の上に置いて屋内ゴルフ練習場の常設ショットマット１に係留して使用するショット練習マット３は、図８に示す人工芝の植え込む部材４に対して、人工芝芽５が一方向に傾斜角θを有する芝丈２０ミリメートルのショット練習マット３または、同じく人工芝芽５が一方向に傾斜角θを有する芝丈３５ミリメートルのショット練習マット３をまたは、同じく人工芝芽５が一方向に傾斜角θを有する芝丈５０ミリメートルのショット練習マット３を、芝芽の傾斜方向がショットの方向ＳＤと反対方向に向くようにセットして、すなわち、逆目の状態にしてセットして使用することにより、逆目のフェアウエイや、逆目のセミラフおよび逆目のラフの中にある打球をショットする際に、クラブヘッドへの芝絡みや草絡みのショットとなることを想定して、第二打目や第三打目のショットおよび、アプローチショットなどの幅広いショットの練習ができるという利点がある。
【００４２】
本考案の実施例２の効果として、床や地面に直接固定しないで、屋外ゴルフ練習場のテイーグランド（地面）２１に敷かれているショットマット２０または、ショートコースゴルフ場のテイーグランド（地面）２１に敷かれているショットマット２０の上に置いて図１２に示すショット練習マット３を屋外ゴルフ練習場のテイーグランド（地面）２１に、または、ショートコースゴルフ場のテイーグランド（地面）２１に係留するための仕組みを用いて、屋外ゴルフ練習場のテイーグランド（地面）２１に、または、ショートコースゴルフ場のテイーグランド（地面）２１に係留して使用するショット練習マット３は、ダフリショットのときに、ショットの方向ＳＤに可動域を動くので、クラブヘッドがショットマットの上を滑ってボールに強く当たることが無いので、実際のゴルフコースで体験するダフリショットのときに、ターフが取れて打球の飛距離が減少するか、または、全くボールが飛ばないという現象に近い体験ができるという利点がある。しかも、ショット練習マット３は屋外ゴルフ練習場のテイーグランド（地面）２１に、または、ショートコースゴルフ場のテイーグランド（地面）２１に係留されているので、遠方に飛散しないという利点がある。
【００４３】
本考案の、実施例２の効果として、床や地面に直接固定しないで、屋外ゴルフ練習場のテイーグランド（地面）２１に敷かれているショットマット２０、または、ショートコースゴルフ場のテイーグランド（地面）２１に敷かれているショットマット２０の上に置いて、図１２に示すショット練習マット３を、屋外ゴルフ練習場のテイーグランド（地面）２１に、または、ショートコースゴルフ場のテイーグランド（地面）２１に係留するための仕組みを用いて、屋外ゴルフ練習場のテイーグランド（地面）２１に、または、ショートコースゴルフ場のテイーグランド（地面）２１に係留して使用するショット練習マット３は、図８に示す人工芝の植えこむ部材４に対して、人工芝芽５が一方向に傾斜角θを有する芝丈２０ミリメートルのショット練習マット３、または、同じく人工芝芽５が一方向に傾斜角θを有する芝丈３５ミリメートルのショット練習マット３または、同じく人工芝芽５が一方向に傾斜角θを有する芝丈５０ミリメートルのショット練習マット３を、実際のゴルフコースのフェアウエイまたは、セミラフまたは、ラフの中にある打球を想定して、ショット練習マット３を選択して使用することにより、幅広いショットの練習ができるという利点がある。
【００４４】
本考案の、実施例２の効果として、床や地面に直接固定しないで、屋外ゴルフ練習場のテイーグランド（地面）２１に敷かれているショットマット２０の、または、ショートコースゴルフ場のテイーグランド（地面）２１に敷かれているショットマット２０の上に置いて、図１２に示すショット練習マット３を屋外ゴルフ練習場のテイーグランド（地面）２１に、または、ショートコースゴルフ場のテイーグランド（地面）２１に係留するための仕組みを用いて、屋外ゴルフ練習場のテイーグランド（地面）２１に、または、ショートコースゴルフ場のテイーグランド（地面）２１に係留して使用するショット練習マット３は、図８に示す人工芝の植えこむ部材４に対して、人工芝芽５が一方向に傾斜角θを有する芝丈２０ミリメートルのショット練習マット３、または、同じく人工芝芽５が、一方向に傾斜角θを有する芝丈３５ミリメートルのショット練習マット３、または、同じく人工芝芽５が一方向に傾斜角θを有する芝丈５０ミリメートルのショット練習マット３を芝芽の傾斜方向がショットの方向ＳＤと反対方向に向くようにセットして、すなわち、逆目になるようにセットして使用することにより、実際のゴルフコースの逆目のフェアウエイまたは、逆目のセミラフまたは、逆目のラフの中にある打球のショットが、クラブヘッドへの芝絡みや草絡みのショットとなることを想定して３種類のショット練習マット３を使い分けることにより、幅広いショットの練習ができるという利点がある。
【００４５】
本考案の、実施例２の効果として、ショートコースゴルフ場のコースは、ショートホールが中心で、多くのショートコースゴルフ場では、テイーグランド（地面）２１の上に人工芝のショットマットが敷かれており、全てのホールで、このショットマットの上に直接ボールを置くか、または、テイーアップしてショットを行うシステムを採っている。第一打目のショットを、テイーアップして行うショットは、一般的なゴルフ場のショートホールで行う第一打目のショットと同質のショットであるが、このショートコースゴルフ場のテイーグランド（地面）２１に敷かれているショットマット２０で行う第一打目のショットを、一般的なゴルフ場で行う第二打目や第三打目のショットおよびアプローチショットを想定して、ショットを行うために、ショートコースゴルフ場のテイーグランド（地面）２１に係留して使用するショット練習マット３を、図８に示す人工芝の植えこむ部材４に対して、人工芝芽５が一方向に傾斜角θを有する芝丈２０ミリメートルのショット練習マット３または、同じく人工芝芽５が一方向に傾斜角θを有する芝丈３５ミリメートルのショット練習マット３または、同じく人工芝芽５が一方向に傾斜角θを有する芝丈５０ミリメートルのショット練習マット３を、ショートコースゴルフ場のテイーグランド（地面）２１の上に敷かれているショットマット２０の上に置いて使用することにより、一般的なゴルフ場コースのフェアウエイやセミラフおよびラフなど、そして、順目や逆目などの状況を想定して３種類のショット練習マット３を使い分けることにより、想定して行う第二打目または、第三打目のショットやアプローチショットに多様性が出て、一般的なゴルフ場のコースに相当する幅広いショットとプレイができるという利点がある。
【００４６】
本考案の、図示しない実施例３の効果として、ゴルフ関連の商業施設以外の私有の敷地内などで安全性が確保されている環境下で、敷地地面に係留して、敷地地面の上に置いてショット練習マット３を用いることで、クラブヘッドを痛めること無く、繰り返してスイングの練習ができるという利点がある。
【００４７】
本考案の、図示しない実施例３の効果として、私有の敷地内などで、安全性を確保されている敷地地面に係留して、敷地地面の上に置いて使用するショット練習マット３は、可動域をショットの方向ＳＤに動くので、ダフリショットの時に、実際のゴルフ場で行うショットがダフリショットの時、ターフが取れるという現象に近い体験ができるという利点がある。
【符号の説明】
【００４８】
１  屋内ゴルフ練習場の常設ショットマット
２  ゴルフボール
３  ショット練習マット
４  人工芝の植えこむ部材
５  人工芝芽
６  キーホルダー
７  ショット練習マットを繋ぐためのキーホルダー
８  ワイヤー
９  オーバルスリーブ（ワイヤー圧着材）
１０  ワイヤーリング
１１  ハトメ金具
１２  ピン
１３  ピン穴
１４  ピンチ
１５  ピンチ挟持部上部
１６  ピンチ挟持部下部
１７  ピンチ挟持部下部のワイヤー通し穴
１８  ワイヤー通し穴
１９  屋内ゴルフ練習場の常設ショットマットのゴムテイー用穴
２０  屋外ゴルフ練習場または、ショートコースゴルフ場のテイーグランド（地面）に敷かれているショットマット
２１  屋外ゴルフ練習場または、ショートコースゴルフ場のテイーグランド（地面）
θ  人工芝の植え込み部材に対する人工芝の植え込み傾斜角
ＳD  ショットの方向
T  先行技術の、ショットマット
U  先行技術の、ショットマットを直接、地面に固定するためのテイーピン
V  先行技術に表示の、ショットマットの上に置かれたゴルフボールの状況
W  先行技術の、ショットマットの人工芝の形態
X  先行技術の、ショットマットを直接床に固定するための両面粘着テープ
Y  床面
Z  地面
【図１】
0003207807.tif 000003
【図２】
0003207807.tif 000004
【図３】
0003207807.tif 000005
【図４】
0003207807.tif 000006
【図５】
0003207807.tif 000007
【図６】
0003207807.tif 000008
【図７】
0003207807.tif 000009
【図８】
0003207807.tif 000010
【図９】
0003207807.tif 000011
【図１０】
0003207807.tif 000012
【図１１】
0003207807.tif 000013
【図１２】
0003207807.tif 000014
【図１３】
0003207807.tif 000015
【手続補正書】
【提出日】平成28年9月27日(2016.9.27)
【手続補正１】
【補正対象書類名】実用新案登録請求の範囲
【補正対象項目名】全文
【補正方法】変更
【補正の内容】
【実用新案登録請求の範囲】
【請求項１】
床や地面に直接固定しないで屋内ゴルフ練習場の常設ショットマット１に係留して使用するショット練習マット３は、ショット練習マット３の上部の端にハトメ金具１１を用いて穴の周囲を補強して設けたワイヤー通し穴１８に、ショット練習マット３を係留するために用いるワイヤー８を通して、そのワイヤー８の先にワイヤー圧着材９を用いて形成したワイヤーリング１０を備え、これと屋内ゴルフ練習場の常設ショットマット１の、ショットの方向ＳＤと反対方向の端部の裏面をピンチ１４の挟持部下部１６が挟持して、そして、おもて面をピンチ１４の挟持部上部１５が挟持するように挟持して、ピンチ１４の挟持部下部１６のワイヤー通し穴１７を通したワイヤー８の先に、ワイヤー圧着材９を用いて形成したワイヤーリング１０に連結したキーホルダー６と、これをつないでいるワイヤー８とそのワイヤー８の先につないだキーホルダー７とを一緒に、屋内ゴルフ練習場の常設ショットマット１の裏面から、おもて面に向けて、ゴムテイー用穴１９を通して、屋内ゴルフ練習場の常設ショットマット１の上に置いて使用するショット練習マット3の係留するためのワイヤーリング１０に連結して、ショット練習マット３を、屋内ゴルフ練習場の常設ショットマット１に係留して使用するショット練習マット３。
【請求項２】
床や地面に直接固定しないで使用するショット練習マット３を、屋内ゴルフ練習場の常設ショットマット１に係留して使用することにより、ショットの方向ＳＤに可動域を持ち、ダフリショットの時に、この可動域を動くことを特徴とする請求項1のショット練習マット３。
【請求項３】
床や地面に直接固定しないで係留して使用するショット練習マット３は、屋内ゴルフ練習場の常設ショットマット１に係留に係留して使用することにより、ダフリショットの時に、可動域を動くが遠方に飛散しないことを特徴とする請求項１のショット練習マット３。
【請求項４】
床や地面に直接固定しないで係留して使用するショット練習マット３の、人工芝の植えこむ部材４に対して、人工芝芽５が一方向に傾斜角θを有する芝丈２０ミリメートルのショット練習マット３または、同じく人工芝芽５が一方向に傾斜角θを有する芝丈３５ミリメートルのショット練習マット３または、同じく人工芝芽５が一方向に傾斜角θを有する芝丈５０ミリメートルのショット練習マット３を、選択して使用することができることを特徴とする、人工芝芽５が一方向に傾斜角θを有する、そして芝丈の異なる３種類からなる請求項１記載のショット練習マット３。
【請求項５】
床や地面に直接固定しないで、係留して使用するショット練習マット３を、屋外ゴルフ練習場のテイーグランド２１に敷かれているショットマット２０または、ショートコースゴルフ場のテイーグランド２１に敷かれているショットマット２０の上に置いて使用するとき、屋外ゴルフ練習場のテイーグランド２１または、ショートコースゴルフ場のテイーグランド２１に係留するためのワイヤー８の両端の各々にワイヤー圧着材９を用いてワイヤーリング１０を形成し、その一方のワイヤーリング１０には、ショット練習マット３の備え持つ係留のためのワイヤーリング１０に連結するために装着したキーホルダー７をつなぎ、このキーホルダー７と、ショット練習マット３の備え持つ係留のためのワイヤーリング１０とを連結して、残るもう一方のワイヤーリング１０には、屋外ゴルフ練習場のテイーグランド２１に、またはショートコースゴルフ場のテイーグランド２１に差し込んで使用するピン１２を連結するためのキーホルダー６と、ピン１２のピン穴１３にワイヤー８を通して、その先にワイヤー圧着材９を用いて形成したワイヤーリング１０を連結したピン１２を、屋外ゴルフ練習場のテイーグランド２１に、または、ショートコースゴルフ場のテイーグランド２１に差し込んで、屋外ゴルフ練習場のテイーグランド２１に、または、ショートコースゴルフ場のテイーグランド２１に係留して使用することを特徴とする請求項１のショット練習マット３。
【請求項６】
床や地面に直接固定しないで係留して使用するショット練習マット３は、屋内ゴルフ練習場の常設ショットマット１に係留するための請求項１記載の、ショット練習マット３を、屋内ゴルフ練習場の常設ショットマット１に係留するために用いるピンチ１４を取り外して、替りに、屋外ゴルフ練習場のテイーグランド２１に、または、ショートコースゴルフ場のテイーグランド２１に差し込んで使用するためのピン１２を装着して、そのピン１２を、屋外ゴルフ練習場のテイーグランド２１、または、ショートコースゴルフ場のテイーグランド２１に差し込んで、ショット練習マット３を、屋外ゴルフ練習場のテイーグランド２１に、または、ショートコースゴルフ場のテイーグランド２１に係留して使用することができることを特徴とする請求項１のショット練習マット３。
【請求項７】
床や地面に直接固定しないで係留して使用するショット練習マット３の人工芝の植えこむ部材４に対して人工芝芽５が一方向に傾斜角θを有する芝丈２０ミリメートルのショット練習マット３を、または、同じく人工芝芽５が一方向に傾斜角θを有する芝丈３５ミリメートルのショット練習マット３を、または、同じく人工芝芽５が一方向に傾斜角θを有する芝丈５０ミリメートルのショット練習マット３を、芝芽の傾斜の方向がショットの方向ＳＤと反対方向に向くようにセットして、すなわち、逆目の状態にセットして使用することができることを特徴とする請求項１記載のショット練習マット３。
【手続補正２】
【補正対象書類名】明細書
【補正対象項目名】全文
【補正方法】変更
【補正の内容】
【考案の詳細な説明】
【技術分野】
【０００１】
本考案は、ゴルフクラブのショット練習マットの形状に関するものである。
【背景技術】
【０００２】
屋内ゴルフ練習場または、屋外ゴルフ練習場の基本的な設備には床や地面に固定している芝丈１３ミリメートルから２０ミリメートルの人工芝からなるショットマットを用いており、実際のゴルフコースのフェアウエイで行うショットの練習を想定している。
【０００３】
実際のゴルフコースでは、ボールの手前を叩くダフリショットは、ターフが取れて打球の飛距離が減少するかまたは、全くボールが飛ばないという現象を体験するが、床や地面に直接固定されている屋内ゴルフ練習所の常設ショットマットまたは、屋外ゴルフ練習場のテイーグランドに敷かれているショットマットの上にボールを置いて行うショットでは、ダフリショットでも、クラブヘッドがショットマットの上を滑ってボールに強く当たるためボールが飛ぶ。このことは、実際のゴルフコースで体験するダフリショットとは異なったボールの打感や飛距離感を得るという欠点がある。
【０００４】
実際のゴルフコースで行うショットでは、第二打目または、第三打目のショットやアプローチショットは、フェアウエイからのショットのほかに、草丈の長いセミラフやラフからのショットがあり、これらのショットはクラブヘッドへの草絡みのショットとなる。しかし芝丈１３ミリメートルから２０ミリメートルのフェアウエイからのショットを想定している屋内ゴルフ練習場の常設ショットマットや、屋外ゴルフ練習場のテイーグランドに敷かれているショットマットで行うショットの練習では、セミラフやラフからの草絡みのショットの練習はできない。
【０００５】
実際のゴルフコースでは、ショットの方向に芝芽が向いている状態、すなわち順目からのショットのほかに、ショットの方向と反対方向に芝芽が向いている状態すなわち、逆目からのショットがある。そしてセミラフやラフにも逆目があり、逆目からの第二打目または、第三打目のショットやアプローチショットは、クラブヘッドへの草絡みのショットとなる。しかし、芝丈１３ミリメートルから２０ミリメートルのフェアウエイからのショットを想定している屋内ゴルフ練習場の常設ショットマットや、屋外ゴルフ練習場のテイーグランドに敷かれているショットマットで行うショットの練習では、逆目からの芝絡みや草絡みのショットの練習はできない。
【０００６】
実際のゴルフコースには、ロングホールやミドルホールを備えた一般的なゴルフ場のほかに、ショートコースゴルフ場があり、ここでは、グリーンへのアプローチショットを想定したショートホールが中心である。中にはミドルホールほどのホールを備えているショートコースゴルフ場もあるが、いずれのホールにもテイーグランドの上に人工芝のショットマットが敷かれていることが多く、第一打目のショットはこのショットマットにテイーアップするか、または、ショットマットの上にボールを直接置いてショットを行うシステムを採っている。
【０００７】
したがって、ショートコースゴルフ場のテイーグランドに敷かれているショットマットの上にボールを直接置いて行うショットは、ダフリショットのときに、クラブヘッドがショットマットの上を滑ってボールに強く当たるため、ボールが飛ぶ。このことは、屋内ゴルフ練習場の常設ショットマットや、屋外ゴルフ練習場のテイーグランドに敷かれているショットマットで体験するダフリショットの現象と同じで、一般的なゴルフ場の自然芝で体験するダフリショットとは、異なったボールの打感や打球の飛距離感を得ることとなる。
【０００８】
また、ショートコースゴルフ場のテイーグランドにテイーアップして行う第一打目のショットは、一般的なゴルフ場のパー３のショートホールで行うショットと同質のショットである。しかし、このテイーグランドからの第一打目のショットを、一般的なゴルフ場のコースで行う第二打目や第三打目のショットおよびアプローチショットを想定して行うショットは、ボールの打感や飛距離感も異質なものになる。
【０００９】
先行技術文献１では、床面や地面に直接固定して使用するショット用のマットである。
【００１０】
先行技術文献２では、毛足の長い人工芝と、毛足の短い人工芝からなるショット用のマットである。
【先行技術文献】
【特許文献】
【００１１】
【特許文献１】実開平７−４５０７９号公報（先行技術文献１）
【特許文献２】実開平６−８６７６６号広報（先行技術文献２）
【考案の概要】
【考案が解決しようとする課題】
【００１２】
解決しようとする第一の問題点は、床や地面に直接固定して使用するショットマットでは、ボールの手前を叩くダフリショットのとき、クラブヘッドがショットマットの上を滑ってボールに強く当たるためボールが飛ぶ。このことは、実際のゴルフ場で行うショットがダフリショットの時、ターフが取れて打球の飛距離が減少するか、または、全くボールが飛ばないという現象とは異質ものになるので、この欠点を解消することを課題をとする。
【００１３】
解決しようとする第二の問題点は、屋内ゴルフ練習場の常設ショットマットや、屋外ゴルフ練習場のテイーグランドに敷かれているショットマット及び、ショートコースゴルフ場のテイーグランドに敷かれているショットマットで行うショットでは、セミラフまたは、ラフからのショットの練習ができないので、この点を解決することを課題とする。
【００１４】
解決しようとする第三の問題点は、屋内ゴルフ練習場の常設ショットマットや、屋外ゴルフ練習場のテイーグランドに敷かれているショットマット及び、ショートコースゴルフ場のテイーグランドに敷かれているショットマットで行うショットでは、ショットの方向とは反対方向に芝芽が向いている状態すなわち、逆目の状態のフェアウエイや逆目のセミラフまたは、逆目のラフからのショットの練習ができないのでこの点を解決することを課題とする。
【課題を解決するための手段】
【００１５】
本考案の、第一考案は、床や地面に直接固定しないで屋内ゴルフ練習場の常設ショットマット１に係留して使用するショット練習マット３は、ショット練習マット３の上部の端にハトメ金具１１を用いて穴の周囲を補強して設けたワイヤー通し穴１８に、ショット練習マット３を係留するために用いるワイヤー８を通して、そのワイヤー８の先にワイヤー圧着材９を用いて形成したワイヤーリング１０を備え、これと屋内ゴルフ練習場の常設ショットマット１の、ショットの方向ＳＤと反対方向の端部の裏面をピンチ１４の挟持部下部１６が挟持して、そして、おもて面をピンチ１４の挟持部上部１５が挟持するように挟持して、ピンチ１４の挟持部下部１６のワイヤー通し穴１７を通したワイヤー８の先に、ワイヤー圧着材９を用いて形成したワイヤーリング１０に連結したキーホルダー６と、これをつないでいるワイヤー８とそのワイヤー８の先につないだキーホルダー７とを一緒に、屋内ゴルフ練習場の常設ショットマット１の裏面から、おもて面に向けて、ゴムテイー用穴１９を通して、屋内ゴルフ練習場の常設ショットマット１の上に置いて使用するショット練習マット3の係留するためのワイヤーリング１０に連結して、ショット練習マット３を、屋内ゴルフ練習場の常設ショットマット１に係留して使用することを特徴とするショット練習マット３を提供することである。
【００１６】
本考案の、第二考案は、床や地面に直接固定しないで使用するショット練習マット３を、屋内ゴルフ練習場の常設ショットマット１に係留して使用することにより、ショットの方向ＳＤに可動域を持ち、ダフリショットの時に、この可動域を動くことを特徴とするショット練習マット３を提供することである。
【００１７】
本考案の、第三考案は床や地面に直接固定しないで係留して使用するショット練習マット３は、屋内ゴルフ練習場の常設ショットマット１に係留に係留して使用することにより、ダフリショットの時に、可動域を動くが遠方に飛散しないことを特徴とするショット練習マット３を提供することである。
【００１８】
本考案の、第四考案は、床や地面に直接固定しないで係留して使用するショット練習マット３の、人工芝の植えこむ部材４に対して、人工芝芽５が一方向に傾斜角θを有する芝丈２０ミリメートルのショット練習マット３または、同じく人工芝芽５が一方向に傾斜角θを有する芝丈３５ミリメートルのショット練習マット３または、同じく人工芝芽５が一方向に傾斜角θを有する芝丈５０ミリメートルのショット練習マット３を、選択して使用することができることを特徴とする、人工芝芽５が一方向に傾斜角θを有する、そして芝丈の異なる３種類からなるショット練習マット３を提供することである。
【００１９】
本考案の、第五考案は、床や地面に直接固定しないで、係留して使用するショット練習マット３を、屋外ゴルフ練習場のテイーグランド２１に敷かれているショットマット２０または、ショートコースゴルフ場のテイーグランド２１に敷かれているショットマット２０の上に置いて使用するとき、屋外ゴルフ練習場のテイーグランド２１または、ショートコースゴルフ場のテイーグランド２１に係留するためのワイヤー８の両端の各々にワイヤー圧着材９を用いてワイヤーリング１０を形成し、その一方のワイヤーリング１０には、ショット練習マット３の備え持つ係留のためのワイヤーリング１０に連結するために装着したキーホルダー７をつなぎ、このキーホルダー７と、ショット練習マット３の備え持つ係留のためのワイヤーリング１０とを連結して、残るもう一方のワイヤーリング１０には、屋外ゴルフ練習場のテイーグランド２１に、またはショートコースゴルフ場のテイーグランド２１に差し込んで使用するピン１２を連結するためのキーホルダー６と、ピン１２のピン穴１３にワイヤー８を通して、その先にワイヤー圧着材９を用いて形成したワイヤーリング１０を連結したピン１２を、屋外ゴルフ練習場のテイーグランド２１に、または、ショートコースゴルフ場のテイーグランド２１に差し込んで、屋外ゴルフ練習場のテイーグランド２１に、または、ショートコースゴルフ場のテイーグランド２１に係留して使用することを特徴とするショット練習マット３を提供することである。
【００２０】
本考案の、第六考案は、床や地面に直接固定しないで係留して使用するショット練習マット３は、屋内ゴルフ練習場の常設ショットマット１に係留するための請求項１記載の、ショット練習マット３を、屋内ゴルフ練習場の常設ショットマット１に係留するために用いるピンチ１４を取り外して、替りに、屋外ゴルフ練習場のテイーグランド２１に、または、ショートコースゴルフ場のテイーグランド２１に差し込んで使用するためのピン１２を装着して、そのピン１２を、屋外ゴルフ練習場のテイーグランド２１、または、ショートコースゴルフ場のテイーグランド２１に差し込んで、ショット練習マット３を、屋外ゴルフ練習場のテイーグランド２１に、または、ショートコースゴルフ場のテイーグランド２１に係留して使用することができることを特徴とするショット練習マット３を提供することである。
【００２１】
本考案の、第七考案は、床や地面に直接固定しないで係留して使用するショット練習マット３の人工芝の植えこむ部材４に対して人工芝芽５が一方向に傾斜角θを有する芝丈２０ミリメートルのショット練習マット３を、または、同じく人工芝芽５が一方向に傾斜角θを有する芝丈３５ミリメートルのショット練習マット３を、または、同じく人工芝芽５が一方向に傾斜角θを有する芝丈５０ミリメートルのショット練習マット３を、芝芽の傾斜の方向がショットの方向ＳＤと反対方向に向くようにセットして、すなわち、逆目の状態にセットして使用することができることを特徴とするショット練習マット３を提供することである。
【考案の効果】
【００２２】
本考案の第一考案と第二考案および第三考案によれば、床や地面に直接固定しないで、屋内ゴルフ練習場の常設ショットマット１に係留して、屋内ゴルフ練習場の常設ショットマット１の上に置いて使用するショット練習マット３は、ボールの手前を叩くダフリショットのときに、ショットの方向ＳＤに可動域を動くので、クラブヘッドがショットマットの上を滑ってボールに強く当たるということが無く、実際のゴルフ場のコースで体験するダフリショットのときに、ターフが取れて打球の飛距離が減少するかまたは、全くボールが飛ばないという現象に近い体験ができるという利点がある。また、ショット練習マット３は、屋内ゴルフ練習場の常設ショットマット１に係留しているため遠方に飛散しないという利点がある。
【００２３】
本考案の第四考案によれば、屋内ゴルフ練習場の常設ショットマット１の上に置いて、屋内ゴルフ練習場の常設ショットマット１に係留して使用する芝丈２０ミリメートルのショット練習マット３は、実際のゴルフコースのフェアウエイを想定して、また、芝丈３５ミリメートルのショット練習マット３は実際のゴルフコースのセミラフの中にある打球を想定して、また、芝丈５０ミリメートルのショット練習マット３は実際のゴルフコースのラフの中にある打球を想定してショットの練習ができるという利点がある。
【００２４】
本考案の第一考案と第五考案および第六考案によれば、屋外ゴルフ練習場のテイーグランド２１に敷かれているショットマット２０の上に置いて、または、ショートコースゴルフ場のテイーグランド２１に敷かれているショットマット２０の上に置いて使用するショット練習マット３は、ボールの手前を叩くダフリショットのときに、ショット練習マット３がショットの方向ＳＤに可動域を動くので、クラブヘッドがショットマットの上を滑ってボールに強く当たるということが無いので、実際のゴルフ場のコースで体験するダフリショットのときに、ターフが取れて打球の飛距離が減少するかまたは、全くボールが飛ばないという現象に近い体験ができるという利点がある。また、ショット練習マット３は屋外ゴルフ練習場のテイーグランド２１に、または、ショートコースゴルフ練習場のテイーグランド２１に係留されているので、遠方に飛散しないという利点がある。
【００２５】
本考案の第四考案と第五考案によれば、屋外ゴルフ練習場のテイーグランド２１に敷かれているショットマット２０の上に置いて、または、ショートコースゴルフ場のテイーグランド２１に敷かれているショットマット２０の上に置いて使用するとき、芝丈２０ミリメートルのショット練習マット３は、実際のゴルフコースのフェアウエイを想定して、また、芝丈３５ミリメートルのショット練習マット３は実際のゴルフコースのセミラフの中にある打球を想定して、また、芝丈５０ミリメートルのショット練習マット３は実際のゴルフコースのラフの中にある打球を想定して、芝丈の異なる３種類のショット練習マット３を選択してショットの練習ができるという利点がある。
【００２６】
本考案の第一考案と第三考案と第四考案および第七考案によれば、床や地面に直接固定しないで屋内ゴルフ練習場の常設ショットマット１に係留して使用するショット練習マット３の、人工芝の植えこむ部材４に対して人工芝芽５が一方向に傾斜角θを有する芝丈３５ミリメートルのショット練習マット３を、または、同じく人工芝芽５が一方向に傾斜角θを有する芝丈５０ミリメートルのショット練習マット３を、芝芽の傾斜方向がショットの方向ＳＤと反対方向に向くようにセットして、すなわち、逆目の状態にセットして使用することにより、実際のゴルフコースの、逆目のセミラフや逆目のラフの中にある打球のショットが、草絡みのショットとなることを想定してショットの練習ができるという利点がある。しかも、ショット練習マット３は、屋内ゴルフ練習場の常設ショットマット１に係留されているので、遠方に飛散しないという利点がある
【００２７】
本考案の第一考案と第四考案と第五考案および第七考案によれば、床や地面に直接固定しないで屋外ゴルフ練習場のテイーグランド２１に敷かれているショットマット２０または、ショートコースゴルフ場のテイーグランド２１に敷かれているショットマット２０の上に置いて使用する人工芝の植えこむ部材４に対して人工芝芽５が一方向に傾斜角θを有する芝丈３５ミリメートルのショット練習マット３の芝芽の傾斜方向をショットの方向ＳＤと反対方向にセットして、または、同じく人工芝芽５が一方向に傾斜角θを有する芝丈５０ミリメートルのショット練習マット３の芝芽の傾斜方向をショットの方向ＳＤと反対方向にセットして使用することにより、実際のゴルフコースの逆目のセミラフや、逆目のラフの中からのショットが草絡みのショットとなることを想定して、ショットの練習ができるという利点がある。しかも、ショット練習マット３は、屋外ゴルフ練習場のテイーグランド２１に、または、ショートコースゴルフ場のテイーグランド２１に係留されているので、遠方に飛散しないという利点がある
【図面の簡単な説明】
【００２８】
【図１】図１は本考案の実施例１を示す斜視図である
【図２】図２は本考案の実施例１を示す図１の平面図である
【図３】図３は本考案の実施例１を示す図１の側面図である
【図４】図４は本考案の係留のための仕組みを備え持つショット練習マットを示す図である
【図５】図５は本考案のショット練習マットの人工芝芽を除いて、図４に示す係留のための仕組みを明示した平面図である
【図６】図６は本考案のショット練習マットの人工芝芽を除いて、係留のための仕組みを明示した図５の中で表示するＡ面から見た側面図である
【図７】図７は本考案のショット練習マットの人工芝芽を除いて、係留のための仕組みを明示した図５の中で表示するＢ面から見た側面図である
【図８】図８は本考案の図４に示すショット練習マットの人工芝の植えこむ部材に対して人工芝芽が一方向に傾斜角θを有する、芝丈２０ミリメートルのショット練習マットと、同じく芝丈３５ミリメートルのショット練習マットと、同じく芝丈５０ミリメートルのショット練習マットの側面図である
【図９】図９は本考案のショット練習マットを、屋内ゴルフ練習場の常設ショットマットに係留するための仕組みを示す図である
【図１０】図１０は本考案のショット練習マットを、屋内ゴルフ練習場の常設ショットマットに係留するための仕組みのうち、図９で示すピンチを図９の中で表示したＣ面、Ｄ面、Ｅ面、Ｆ面から見たピンチの構造を示す図である。
【図１１】図１１は本考案の実施例２を示す斜視図である
【図１２】図１２は本考案のショット練習マットを屋外ゴルフ練習場のテイーグランドに、または、ショートコースゴルフ場のテイーグランドに係留するための仕組みを示す図である
【図１３】従来技術を示す図である
【考案を実施するための形態】
【実施例１】
【００２９】
本考案の実施例１を、図１に示す。
【００３０】
図４に示すショット練習マット３を、屋内ゴルフ練習場の常設ショットマット１の上に置いて、図９に示す屋内ゴルフ練習場の常設ショットマット１にショット練習マット３を係留するための仕組みを用いて、屋内ゴルフ練習場の常設ショットマット１に係留して使用する形態は、図９に示す屋内ゴルフ練習場の常設ショットマット１に係留するための仕組みのうち、屋内ゴルフ練習場の常設ショットマット１の、ショットの方向ＳＤと反対方向の端部の裏面を、ピンチ14の挟持部下部１６が、そして、おもて面をピンチ１４の挟持部上部１５が挟持するように挟持して、ピンチ１４の挟持部下部１６のワイヤー通し穴１７を通したワイヤー８に、ワイヤー圧着材９を用いて形成したワイヤーリング１０に連結したキーホルダー６と、これをつないでいるワイヤー８の先のキーホルダー７を、図３に示すように、屋内ゴルフ練習場の常設ショットマット１の裏面から、おもて面に向けて、ゴムテイー用穴１９を通して、屋内ゴルフ練習場の常設ショットマット１の上に置いて使用するショット練習マット３の備え持つ係留用のワイヤーリング１０に連結して、ショット練習マット３を屋内ゴルフ練習場の常設ショットマット１に係留して使用する。
【００３１】
床や地面に直接固定しないで、屋内ゴルフ練習場の常設ショットマット１の上に置いて、屋内ゴルフ練習場の常設ショットマット１に係留して使用するショット練習マット３は、図８に示す人工芝の植えこむ部材４に対して人工芝芽５が一方向に傾斜角θを有する芝丈２０ミリメートルのショット練習マット３を、また、同じく人工芝芽５が一方向に傾斜角θを有する芝丈３５ミリメートルのショット練習マット３を、同じく人工芝芽５が一方向に傾斜角θを有する芝丈５０ミリメートルのショット練習マット３を、実際のゴルフコースの、フェアウエイや、セミラフおよびラフの中にある打球を想定して、芝丈の異なるショット練習マット３を選択して使用する。
【００３２】
床や地面に直接固定しないで、屋内ゴルフ練習場の常設ショットマット１の上に置いて、屋内ゴルフ練習場の常設ショットマット１に係留して使用するショット練習マット３は、図８に示す人工芝の植えこむ部材４に対して人工芝芽５が一方向に傾斜角θを有する芝丈２０ミリメートルのショット練習マット３の、同じく人工芝芽５が一方向に傾斜角θを有する芝丈３５ミリメートルのショット練習マット３の、同じく人工芝芽５が一方向に傾斜角θを有する芝丈５０ミリメートルのショット練習マット３の、芝芽の向きがショットの方向ＳＤと反対方向に向くようにセットしてすなわち、逆目の状態にセットして使用することで、実際のゴルフコースの逆目のフェアウエイや逆目のセミラフおよび逆目のラフの中にある打球を想定して、芝丈の異なるショット練習マット３を選択して使用する。
【実施例２】
【００３３】
図１の実施例１では、床や地面に直接固定しないで、ショット練習マット３を、屋内ゴルフ練習場の常設ショットマット１の上に置いて、屋内ゴルフ練習場の常設ショットマット１に係留して使用する形態であるが、実施例２では、ショット練習マット３を、屋外ゴルフ練習場のテイーグランド２１に敷かれているショットマット２０の上に置いて、または、ショートコースゴルフ場のテイーグランド２１に敷かれているショットマット２０の上に置いて、屋外ゴルフ練習場のテイーグランド２１に、または、ショートコースゴルフ場のテイーグランド２１に係留して使用してもよい。
【００３４】
本考案の実施例２を、図１１に示す。
図４に示すショット練習マット３を屋外ゴルフ練習場のテイーグランド２１に敷かれているショットマット２０、または、ショートコースゴルフ場のテイーグランド２１に敷かれているショットマット２０の上に置いて、図１２に示すショット練習マット３を屋外ゴルフ練習場のテイーグランド２１に、または、ショートコースゴルフ場のテイーグランド２１に係留するための仕組みを用いて、ショット練習マット３を、屋外ゴルフ練習場のテイーグランド２１に、または、ショートコースゴルフ場のテイーグランド２１に係留する形態は、図１２に示す屋外ゴルフ練習場のテイーグランド２１に、または、ショートコースゴルフ場のテイーグランド２１に係留するための仕組みのうちピン１２を、屋外ゴルフ練習場のテイーグランド２１に、または、ショートコースゴルフ場のテイーグランド２１に差し込み、そのピン１２を連結しているキーホルダー６とこれらをつなぐワイヤー８および、その先端に連結されているショット練習マット３をつなぐために装着しているキーホルダー７を用いて、屋外ゴルフ練習場のテイーグランド２１に敷かれているショットマット２０または、ショートコースゴルフ場のテイーグランド２１に敷かれているショットマット２０の上に置いて使用するショット練習マット３の備え持つ係留のためのワイヤーリング１０に連結して、屋外ゴルフ練習場のテイーグランド２１に、または、ショートコースゴル場のテイーグランド２１に係留してショット練習マット３を使用する。
【００３５】
床や地面に直接固定しないで、屋外ゴルフ練習場のテイーグランド２１に敷かれているショットマット２０または、ショートコースゴルフ場のテイーグランド２１に敷かれているショットマット２０の上に置いて、図１２に示すショット練習マット３を屋外ゴルフ練習場のテイーグランド２１に、または、ショートコースゴルフ場のテイーグランド２１に係留するための仕組みを用いて、屋外ゴルフ練習場のテイーグランド２１に、または、ショートコースゴルフ場のテイーグランド２１に係留して使用する図８に示す人工芝の植えこむ部材４に対して、人工芝芽５が一方向に傾斜角θを有する芝丈２０ミリメートルのショット練習マット３または、同じく人工芝芽５が一方向に傾斜角θを有する芝丈３５ミリメートルのショット練習マット３または、同じく人工芝芽５が一方向に傾斜角θを有する芝丈５０ミリメートルのショット練習マット３を、実際のゴルフコースのフェアウエイまたは、セミラフまたは、ラフの中にある打球を想定して、芝丈の異なる３種類のショット練習マット３を選択して使用する。
【００３６】
床や地面に直接固定しないで、屋外ゴルフ練習場のテイーグランド２１に敷かれているショットマット２０または、ショートコースゴルフ場のテイーグランド２１に敷かれているショットマット２０の上に置いて、図１２に示すショット練習マット３を屋外ゴルフ練習場のテイーグランド２１に、または、ショートコースゴルフ場のテイーグランド２１に係留するための仕組みを用いて、屋外ゴルフ練習場のテイーグランド２１に、または、ショートコースゴルフ場のテイーグランド２１に係留して使用する図８に示す人工芝の植えこむ部材４に対して、人工芝芽５が一方向に傾斜角θを有する芝丈２０ミリメートルのショット練習マット３または、同じく人工芝芽５が一方向に傾斜角θを有する芝丈３５ミリメートルのショット練習マット３または、同じく人工芝芽５が一方向に傾斜角θを有する芝丈５０ミリメートルのショット練習マット３の、芝芽の傾斜方向がショットの方向ＳＤと反対方向に向くようにセットして、すなわち、逆目の状態にセットして使用する。
【００３７】
なお、上記説明は、本考案を室内ゴルフ練習場の常設ショットマットの上に置いて、または、屋外ゴルフ練習場のテイーグランドに敷かれているショットマットの上に置いて、または、ショートコースゴルフ場のテイーグランドに敷かれているショットマットの上に置いて使用することに限定するものではなく、図示しない実施例３として、ゴルフ関連の商業施設以外の個人所有の敷地内などにおいて、安全性が確保されている環境下の敷地地面の上に置いて、本考案を使用することを除外するものではない。
【実施形態の効果】
【００３８】
実施例１の効果として、ショット練習マット３を、床や地面などに直接固定しないで、屋内ゴルフ練習場の常設ショットマット１の上に置いて、屋内ゴルフ練習場の常設ショットマット１に係留して使用することにより、ショット練習マット３はショットの方向ＳＤに可動域を持つ。このことにより、ダフリショットのときに、ショットの方向ＳＤにショット練習マット３が可動域を動くので、クラブヘッドがショットマットの上を滑ってボールに強く当たることが無いので、実際のゴルフコースで体験するダフリショットのとき、ターフが取れて打球の飛距離が減少するか、または、全くボールが飛ばないという現象に近い体験ができるという利点がある。そして、ショット練習マット３は屋内ゴルフ練習場の常設ショットマット１に係留されているので、遠方に飛散しないという利点がある。
【００３９】
実施例１の効果として、屋内ゴルフ練習場の常設ショットマット１で行うショットは、実際のゴルフコースの、フェアウエイで行うショットを想定したショットの練習に限られるが、図８に示す人工芝の植え込む部材４に対して、人工芝芽５が一方向に傾斜角θを有する芝丈３５ミリメートルのショット練習マット３または、同じく人工芝芽５が一方向に傾斜角θを有する芝丈５０ミリメートルのショット練習マット３を選択して、屋内ゴルフ練習場の常設ショットマット１の上に置いて使用することにより、セミラフやラフの中にある打球をショットする際に、クラブヘッドへの草絡みのショットとなることを想定して、第二打目や第三打目のショットおよび、アプローチショットなどの幅広いショットの練習ができるという利点がある。
【００４０】
実施例１の効果として、床や地面に直接固定しないで、屋内ゴルフ練習場の常設ショットマット１の上に置いて屋内ゴルフ練習場の常設ショットマット１に係留して使用するショット練習マット３は、図８に示す人工芝の植え込む部材４に対して、人工芝芽５が一方向に傾斜角θを有する芝丈２０ミリメートルのショット練習マット３または、同じく人工芝芽５が一方向に傾斜角θを有する芝丈３５ミリメートルのショット練習マット３をまたは、同じく人工芝芽５が一方向に傾斜角θを有する芝丈５０ミリメートルのショット練習マット３を、芝芽の傾斜方向がショットの方向ＳＤと反対方向に向くようにセットして、すなわち、逆目の状態にしてセットして使用することにより、逆目のフェアウエイや、逆目のセミラフおよび逆目のラフの中にある打球をショットする際に、クラブヘッドへの芝絡みや草絡みのショットとなることを想定して、第二打目や第三打目のショットおよび、アプローチショットなどの幅広いショットの練習ができるという利点がある。
【００４１】
本考案の実施例２の効果として、床や地面に直接固定しないで、屋外ゴルフ練習場のテイーグランド２１に敷かれているショットマット２０または、ショートコースゴルフ場のテイーグランド２１に敷かれているショットマット２０の上に置いて、図１２に示すショット練習マット３を屋外ゴルフ練習場のテイーグランド２１に、または、ショートコースゴルフ場のテイーグランド２１に係留するための仕組みを用いて、屋外ゴルフ練習場のテイーグランド２１に、または、ショートコースゴルフ場のテイーグランド２１に係留して使用するショット練習マット３は、ダフリショットのときに、ショットの方向ＳＤに可動域を動くので、クラブヘッドがショットマットの上を滑ってボールに強く当たることが無いので、実際のゴルフコースで体験するダフリショットのときに、ターフが取れて打球の飛距離が減少するか、または、全くボールが飛ばないという現象に近い体験ができるという利点がある。しかも、ショット練習マット３は屋外ゴルフ練習場のテイーグランド２１に、または、ショートコースゴルフ場のテイーグランド２１に係留されているので、遠方に飛散しないという利点がある。
【００４２】
本考案の、実施例２の効果として、床や地面に直接固定しないで、屋外ゴルフ練習場のテイーグランド２１に敷かれているショットマット２０、または、ショートコースゴルフ場のテイーグランド２１に敷かれているショットマット２０の上に置いて、図１２に示すショット練習マット３を、屋外ゴルフ練習場のテイーグランド２１に、または、ショートコースゴルフ場のテイーグランド２１に係留するための仕組みを用いて、屋外ゴルフ練習場のテイーグランド２１に、または、ショートコースゴルフ場のテイーグランド２１に係留して使用するショット練習マット３は、図８に示す人工芝の植えこむ部材４に対して、人工芝芽５が一方向に傾斜角θを有する芝丈２０ミリメートルのショット練習マット３、または、同じく人工芝芽５が一方向に傾斜角θを有する芝丈３５ミリメートルのショット練習マット３または、同じく人工芝芽５が一方向に傾斜角θを有する芝丈５０ミリメートルのショット練習マット３を、実際のゴルフコースのフェアウエイまたは、セミラフまたは、ラフの中にある打球を想定して、ショット練習マット３を選択して使用することにより、幅広いショットの練習ができるという利点がある。
【００４３】
本考案の、実施例２の効果として、床や地面に直接固定しないで、屋外ゴルフ練習場のテイーグランド２１に敷かれているショットマット２０の、または、ショートコースゴルフ場のテイーグランド２１に敷かれているショットマット２０の上に置いて、図１２に示すショット練習マット３を屋外ゴルフ練習場のテイーグランド２１に、または、ショートコースゴルフ場のテイーグランド２１に係留するための仕組みを用いて、屋外ゴルフ練習場のテイーグランド２１に、または、ショートコースゴルフ場のテイーグランド２１に係留して使用するショット練習マット３は、図８に示す人工芝の植えこむ部材４に対して、人工芝芽５が一方向に傾斜角θを有する芝丈２０ミリメートルのショット練習マット３、または、同じく人工芝芽５が、一方向に傾斜角θを有する芝丈３５ミリメートルのショット練習マット３、または、同じく人工芝芽５が一方向に傾斜角θを有する芝丈５０ミリメートルのショット練習マット３を芝芽の傾斜方向がショットの方向ＳＤと反対方向に向くようにセットして、すなわち、逆目になるようにセットして使用することにより、実際のゴルフコースの逆目のフェアウエイまたは、逆目のセミラフまたは、逆目のラフの中にある打球のショットが、クラブヘッドへの芝絡みや草絡みのショットとなることを想定して３種類のショット練習マット３を使い分けることにより、幅広いショットの練習ができるという利点がある。
【００４４】
本考案の、実施例２の効果として、ショートコースゴルフ場のコースは、ショートホールが中心で、多くのショートコースゴルフ場では、テイーグランド２１の上に人工芝のショットマットが敷かれており、全てのホールで、このショットマットの上に直接ボールを置くか、または、テイーアップしてショットを行うシステムを採っている。第一打目のショットを、テイーアップして行うショットは、一般的なゴルフ場のショートホールで行う第一打目のショットと同質のショットであるが、このショートコースゴルフ場のテイーグランド２１に敷かれているショットマット２０で行う第一打目のショットを、一般的なゴルフ場で行う第二打目や第三打目のショットおよびアプローチショットを想定して、ショットを行うために、ショートコースゴルフ場のテイーグランド２１に係留して使用するショット練習マット３を、図８に示す人工芝の植えこむ部材４に対して、人工芝芽５が一方向に傾斜角θを有する芝丈２０ミリメートルのショット練習マット３または、同じく人工芝芽５が一方向に傾斜角θを有する芝丈３５ミリメートルのショット練習マット３または、同じく人工芝芽５が一方向に傾斜角θを有する芝丈５０ミリメートルのショット練習マット３を、ショートコースゴルフ場のテイーグランド２１の上に敷かれているショットマット２０の上に置いて使用することにより、一般的なゴルフ場コースのフェアウエイやセミラフおよびラフなど、そして、順目や逆目などの状況を想定して３種類のショット練習マット３を使い分けることにより、想定して行う第二打目または、第三打目のショットやアプローチショットに多様性が出て、一般的なゴルフ場のコースに相当する幅広いショットとプレイができるという利点がある。
【００４５】
本考案の、図示しない実施例３の効果として、ゴルフ関連の商業施設以外の私有の敷地内などで安全性が確保されている環境下で、敷地地面に係留して、敷地地面の上に置いてショット練習マット３を用いることで、クラブヘッドを痛めること無く、繰り返してスイングの練習ができるという利点がある。
【００４６】
本考案の、図示しない実施例３の効果として、私有の敷地内などで、安全性を確保されている敷地地面に係留して、敷地地面の上に置いて使用するショット練習マット３は、可動域をショットの方向ＳＤに動くので、ダフリショットの時に、実際のゴルフ場ではダフリショットのとき、ターフが取れるという現象に近い体験ができるという利点がある。
【符号の説明】
【００４７】
１  屋内ゴルフ練習場の常設ショットマット
２  ゴルフボール
３  ショット練習マット
４  人工芝の植えこむ部材
５  人工芝芽
６  キーホルダー
７  ショット練習マットを繋ぐためのキーホルダー
８  ワイヤー
９  ワイヤー圧着材
１０  ワイヤーリング
１１  ハトメ金具
１２  ピン
１３  ピン穴
１４  ピンチ
１５  ピンチ挟持部上部
１６  ピンチ挟持部下部
１７  ピンチ挟持部下部のワイヤー通し穴
１８  ワイヤー通し穴
１９  屋内ゴルフ練習場の常設ショットマットのゴムテイー用穴
２０  屋外ゴルフ練習場または、ショートコースゴルフ場のテイーグランドに敷かれているショットマット
２１  屋外ゴルフ練習場または、ショートコースゴルフ場のテイーグランド
θ  人工芝の植え込み部材に対する人工芝の植え込み傾斜角
ＳD  ショットの方向
T  先行技術の、ショットマット
U  先行技術の、ショットマットを直接、地面に固定するためのテイーピン
V  先行技術に表示の、ショットマットの上に置かれたゴルフボールの状況
W  先行技術の、ショットマットの人工芝の形態
X  先行技術の、ショットマットを直接床に固定するための両面粘着テープ
Y  床面
Z  地面